(57)【要約】【課題】アンケートの回答がブログで公開される状況においても設問とそれに対する回答が複数設定されたアンケートを容易に実現できるアンケートブログシステムを提供する。【解決手段】アンケートサーバ装置が、アンケートの内容とアンケート結果を入力するための入力形式を定める入力フォーム情報とアンケートサーバ装置を識別するアンケートサーバ識別情報とアンケートを識別するアンケート識別情報とを含むアンケート設問設定ファイルを記憶し、該アンケート設問設定ファイルの入力フォーム情報に基づいてアンケートサーバ識別情報とアンケート識別情報とを含む入力フォームを生成しアンケート参加端末へ送信し、入力フォームへのアンケート結果と該入力フォームに対するアンケート識別情報とを受信し、記事に含まれる受信したアンケート結果とアンケートサーバ識別情報とアンケート識別情報とを関連付けたアンケート参加コードを生成する。【選択図】図２
2008134925.tif 000002
【特許請求の範囲】
【請求項１】
蓄積した記事を公開するブログサーバと、前記ブログサーバに記事を送信するアンケート参加端末と、前記アンケート参加端末へのアンケートを実行しアンケート結果を収集するアンケートサーバ装置とが、ネットワークを介して接続されるアンケートブログシステムであり、
前記アンケートサーバ装置が、
アンケートの内容とアンケート結果を入力するための入力形式を定める入力フォーム情報と、前記アンケートサーバ装置を識別するアンケートサーバ識別情報と、前記アンケートを識別するアンケート識別情報と、を含むアンケート設問設定ファイルを記憶する設定記憶手段と、
前記アンケート設問設定ファイルを前記設定記憶手段から取得し、該アンケート設問設定ファイルの入力フォーム情報に基づいて前記アンケートサーバ識別情報と前記アンケート識別情報とを含む入力フォームを生成し、該生成した入力フォームを前記アンケート参加端末へ送信するユーザインターフェース生成手段と、
前記入力フォームへのアンケート結果と該入力フォームに対するアンケート識別情報とを受信し、記事に含まれる前記受信したアンケート結果と前記アンケートサーバ識別情報と前記アンケート識別情報とを関連付けたアンケート参加コードを生成し、前記生成したアンケート参加コードを前記アンケート参加端末へ送信するアンケート参加コード生成手段と、
を有し、
前記アンケート参加端末が、
前記アンケートサーバ装置から受信したアンケート参加コードを含む記事を生成し、前記生成した記事を前記ブログサーバへ送信するブログ生成送信手段、
を有し、
前記ブログサーバが、
記事を記憶する情報蓄積手段と、
前記アンケート参加コードを含む記事を前記アンケート参加端末から受信し、前記受信した記事を前記情報蓄積手段に登録する入力受付手段と、
前記情報蓄積手段に登録された記事の公開される位置を示す記事公開位置情報を、前記受信した記事に含まれる前記アンケートサーバ識別情報で識別される前記アンケートサーバ装置へ送信するｐｉｎｇ送信手段と、
を有する、
ことを特徴とするアンケートブログシステム。
【請求項２】
前記設問設定ファイルが、前記アンケートの内容に対して入力された前記アンケートサーバ識別情報と前記アンケート識別情報とを関連付けて記事となる形式に変換する出力形式変換情報を含み、
前記アンケート参加コード生成手段が、
前記受信したアンケート識別情報に該当する設問設定ファイルを前記設定記憶手段から取得し、前記取得したアンケート設問設定ファイルの出力形式変換情報に基づいて前記受信したアンケート結果と前記アンケートサーバ識別情報と前記アンケート識別情報とを変換することにより、前記アンケート参加コードを生成する、
ことを特徴とする請求項１に記載のアンケートブログシステム。
【請求項３】
前記アンケートサーバ装置が、
記事公開位置情報を記憶する記事公開位置情報記憶手段と、
前記ｐｉｎｇ送信手段から受信する記事公開位置情報を受信し、前記受信した記事公開位置情報を前記記事公開位置情報記憶手段に記憶させるｐｉｎｇ受信手段と、
を有することを特徴とする請求項１または請求項２に記載のアンケートブログシステム。
【請求項４】
前記アンケートサーバ装置が、
アンケート結果を記憶するアンケート結果記憶手段と
前記記事公開位置情報記憶手段に記憶された記事公開位置情報を取得し、前記取得した記事公開位置情報に基づいて、前記記事を前記ブログサーバの情報蓄積手段から取得し、前記取得した記事を前記アンケート結果記憶手段に登録する記事内容取得手段、
を有することを特徴とする請求項３に記載のアンケートブログシステム。
【請求項５】
前記記事内容取得手段が、
前記取得した記事を前記取得した記事に含まれるアンケート参加コードのアンケート識別情報に基づいて前記アンケート毎に前記アンケート結果記憶手段に登録する、
ことを特徴とする請求項４に記載のアンケートブログシステム。
【請求項６】
前記アンケート結果記憶手段に、
前記アンケート設問設定ファイル毎に、前記アンケート設問設定ファイルに対するアンケート結果を記憶するためのアンケート結果記憶テーブルが生成されており、
前記記事内容取得手段が、
前記取得した記事から前記アンケート識別情報を抽出し、前記抽出したアンケート識別情報に該当するアンケート設問設定ファイルを前記設定記憶手段から取得し、前記取得したアンケート設問設定ファイルにより前記取得した記事からアンケート結果を抽出し、前記抽出したアンケート結果を前記アンケート結果記憶テーブルに登録する、
ことを特徴とする請求項４または請求項５に記載のアンケートブログシステム。
【請求項７】
前記アンケート参加コード生成手段が、
前記アンケートサーバ装置へ前記アンケート識別情報を送信するための前記アンケートサーバ識別情報と前記アンケート識別情報とを含む起動リンクボタンを生成し、前記生成した起動リンクボタンを含む前記アンケート参加コードを生成し、
前記アンケート参加端末が、
前記起動リンクボタンを含む記事を生成し、
前記入力受付手段が、
前記起動リンクボタンを含む記事を前記情報蓄積手段に登録し、
前記ブログサーバが、
前記情報蓄積手段に登録された前記起動リンクボタンを含む記事を公開する情報公開手段、
を有することを特徴とする請求項１から請求項６に記載のアンケートブログシステム。
【請求項８】
前記端末が、
前記起動リンクボタンを起動し、前記起動した起動リンクボタンに含まれる前記アンケート識別情報を送信する端末送信手段を有し、
前記アンケートサーバ装置が、
前記アンケート識別情報を前記端末から受信するアンケート紹介参加手段を有し、
前記ユーザインターフェース生成手段が、
前記アンケート紹介参加手段が受信したアンケート識別情報で識別される前記アンケート設問設定ファイルを前記設定記憶手段から取得し、前記取得した前記アンケート設問設定ファイルに基づいて入力フォームを生成し、前記生成した入力フォームを前記端末へ送信し表示する、
ことを特徴とする請求項７に記載のアンケートブログシステム。
【請求項９】
前記アンケートサーバ装置が、
前記アンケート参加端末のユーザ情報を登録するユーザ管理手段を有し、
前記アンケート参加コード生成手段が、
前記アンケート参加端末のユーザ情報を前記ユーザ管理手段から取得し、前記取得したユーザ情報を含む前記アンケート参加コードを生成し、前記取得したユーザ情報と前記受信したアンケート結果とを関連付けて前記アンケート結果記憶手段に登録する、
ことを特徴とする請求項１から請求項８に記載のアンケートブログシステム。
【請求項１０】
蓄積した記事を公開するブログサーバと、前記ブログサーバに記事を送信するアンケート参加端末と、前記アンケート参加端末へのアンケートを実行しアンケート結果を収集するアンケートサーバ装置とが、ネットワークを介して接続されるアンケートブログシステムに用いられるアンケートブログ方法であり、
前記アンケートサーバ装置が、
設定記憶手段に、アンケートの内容とアンケート結果を入力するための入力形式を定める入力フォーム情報と、前記アンケートサーバ装置を識別するアンケートサーバ識別情報と、前記アンケートを識別するアンケート識別情報と、を含むアンケート設問設定ファイルを記憶させる設定記憶手順と、
前記アンケート設問設定ファイルを前記設定記憶手段から取得し、該アンケート設問設定ファイルの入力フォーム情報に基づいて前記アンケートサーバ識別情報と前記アンケート識別情報とを含む入力フォームを生成し、該生成した入力フォームを前記アンケート参加端末へ送信するユーザインターフェース生成手順と、
前記入力フォームへのアンケート結果と該入力フォームに対するアンケート識別情報とを受信し、前記受信したアンケート結果を所定の出力フォーマットで変換し、前記アンケートサーバ識別情報と前記アンケート識別情報とを含む記事の一部となるアンケート参加コードを生成し、前記生成したアンケート参加コードを前記アンケート参加端末へ送信するアンケート参加コード生成手順と、
を有し、
前記アンケート参加端末が、
前記アンケートサーバ装置から受信したアンケート参加コードを含む記事を生成し、前記生成した記事を前記ブログサーバへ送信するブログ生成送信手順、
を有し、
前記ブログサーバが、
前記アンケート参加コードを含む記事を前記アンケート参加端末から受信し、前記受信した記事を情報蓄積手段に登録する入力受付手順と、
前記情報蓄積手段に登録された記事の公開される位置を示す記事公開位置情報を、前記受信した記事に含まれる前記アンケートサーバ識別情報で識別される前記アンケートサーバ装置へ送信するｐｉｎｇ送信手順と、
を有する、
ことを特徴とするアンケートブログ方法。
【発明の詳細な説明】
【技術分野】
【０００１】
本発明は、ネットワークを利用して、遠隔地のユーザよりアンケートを収集するシステムに関するものであり、特に、ユーザがネットワーク上に情報を公開する手段を有しており、公開手段を利用してアンケートに回答することを補助する技術に関する。
【背景技術】
【０００２】
従来より、ネットワークを利用して遠隔地のユーザよりアンケートを収集するシステムが実現されている。既存アンケートシステムにおいては、アンケートの設問とその回答を対応づけるために、ユーザがアンケートに回答する際の入力フォームを設問ごとに用意し、ユーザに入力を促す仕組みを備えている。また、入力されたデータも設問ごとに蓄積することで、設問とその答えについて分析しやすいデータの構造を実現している。
【０００３】
既存アンケートシステムでは上述のとおり、アンケートに応じて入力フォームおよび蓄積手段を用意する必要があるため、一つの装置に入力フォームと蓄積手段とを備えている。すなわち、アンケートで回答した内容は、該当装置のみに蓄積される。
【０００４】
一方、従来より、Ｗｅｂサーバ等のネットワークを利用して情報を公開するシステムが実現されている。情報公開システムの中でも、情報を公開する記事ごとに指定されたＵＲＬ（Uniform Resource Locator）に対して、その記事が更新されたことを示す信号、または、その記事へのリンクを張ることを示す信号を送る機能を有するシステムがある。（例えば、非特許文献１参照。）ここでは、前記機能を「ｐｉｎｇ」、前記機能を有する情報公開システムを、「ブログ（ブログサーバ）」と呼ぶ。
【０００５】
前記ブログ（ブログサーバ）を用いて情報を公開するユーザに対して、ブログを用いてアンケートの回答を実現するシステムも実現されている。この場合、アンケートの主催者は、アンケートを実行するために、アンケート用のサーバを設置し、アンケート毎にアンケート用のサーバ内にＵＲＬを設定する。
【０００６】
このように、アンケートの主催者はアンケート毎にアンケート用のサーバのＵＲＬを設定し、ユーザはブログを用いて、アンケート回答を記述した記事を公開し、該アンケート用のサーバのＵＲＬに対してブログに登録されている記事のＵＲＬを含んだ信号を送る。ここで、複数のユーザのアンケートの回答は、複数のブログに分散されて蓄積されることになる。
このことにより、アンケート回答がネットワーク上に分散されて公開されながら、アンケートの回答が記述された記事の場所をアンケート主催者が把握し、アンケートの回答を収集することが可能となる。
【０００７】
前記ブログを用いて情報を公開するユーザに対して、ブログを用いてアンケートの回答を実現するシステムは、他の形態でも実現されている。アンケートの主催者はアンケートの設問の選択肢毎にＵＲＬを設定し、ユーザはブログを用いて、アンケート回答を記述した記事を公開し、該アンケート用のサーバのＵＲＬに対して記事のＵＲＬを含んだ信号を送る。
【０００８】
このことにより、アンケート回答がネットワーク上に分散されて公開されながら、アンケートの回答が記述された記事をアンケート主催者が把握し、アンケートの回答を収集することが可能となり、さらに、選択肢ごとに記事が蓄積されるため、選択された数の集計や選択肢毎の記事の表示等を容易に実現する技術も知られている。
【非特許文献１】Ｍｏｖａｂｌｅ  Ｔｙｐｅ、［オンライン］、［平成１８年９月２８日検索］、インターネット＜ＵＲＬ：ｈｔｔｐ：／／ｗｗｗ．ｓｉｘａｐａｒｔ．ｊｐ／ｍｏｖａｂｌｅｔｙｐｅ／＞
【発明の開示】
【発明が解決しようとする課題】
【０００９】
しかしながら、上述した、アンケート回答内容がひとつの装置のみに蓄積されるアンケートシステムでは、ユーザがアンケート回答をブログで公開することが容易には実現できないという問題がある。
例えば、通常、ユーザは、ユーザが作成したブログを、ユーザが契約しているブログサーバのみで公開している。ここで、アンケート回答内容がひとつの装置のみに蓄積されるアンケートシステムを用いて、ユーザがアンケートに回答し、アンケートの結果であるブログを作成した場合、このアンケートシステムではアンケート結果であるブログも、当該アンケートシステムのみで公開される。そのため、ユーザは、アンケート結果であるブログを、ユーザが契約しているブログサーバで、公開出来ないという問題がある。
【００１０】
また、アンケート毎にＵＲＬを設定することでブログを用いたアンケートを実現するシステムでは、設問ごとの入力フォームを用意することができないため、設問とそれに対する回答を対応付けて収集するためには、記事に記述された文章を解析するなどの煩雑な処理が必要となるという問題がある。
また、アンケートの設問選択肢毎にＵＲＬを設定することでブログを用いたアンケートを実現するシステムでは、アンケートの設問設定が複数ある場合に利用できないという問題がある。
【００１１】
本発明は、このような事情に鑑みてなされたもので、その目的は、アンケートの回答がブログで公開される状況においても、設問とそれに対する回答が複数設定されたアンケートを容易に実現できるアンケートブログシステムを提供することにある。
【課題を解決するための手段】
【００１２】
この発明は上述した課題を解決するためになされたもので、請求項１に記載の発明は、蓄積した記事を公開するブログサーバと、前記ブログサーバに記事を送信するアンケート参加端末と、前記アンケート参加端末へのアンケートを実行しアンケート結果を収集するアンケートサーバ装置とが、ネットワークを介して接続されるアンケートブログシステムであり、前記アンケートサーバ装置が、アンケートの内容とアンケート結果を入力するための入力形式を定める入力フォーム情報と、前記アンケートサーバ装置を識別するアンケートサーバ識別情報と、前記アンケートを識別するアンケート識別情報と、を含むアンケート設問設定ファイルを記憶する設定記憶手段と、前記アンケート設問設定ファイルを前記設定記憶手段から取得し、該アンケート設問設定ファイルの入力フォーム情報に基づいて前記アンケートサーバ識別情報と前記アンケート識別情報とを含む入力フォームを生成し、該生成した入力フォームを前記アンケート参加端末へ送信するユーザインターフェース生成手段と、前記入力フォームへのアンケート結果と該入力フォームに対するアンケート識別情報とを受信し、記事に含まれる前記受信したアンケート結果と前記アンケートサーバ識別情報と前記アンケート識別情報とを関連付けたアンケート参加コードを生成し、前記生成したアンケート参加コードを前記アンケート参加端末へ送信するアンケート参加コード生成手段と、を有し、前記アンケート参加端末が、前記アンケートサーバ装置から受信したアンケート参加コードを含む記事を生成し、前記生成した記事を前記ブログサーバへ送信するブログ生成送信手段、を有し、前記ブログサーバが、記事を記憶する情報蓄積手段と、前記アンケート参加コードを含む記事を前記アンケート参加端末から受信し、前記受信した記事を前記情報蓄積手段に登録する入力受付手段と、前記情報蓄積手段に登録された記事の公開される位置を示す記事公開位置情報を、前記受信した記事に含まれる前記アンケートサーバ識別情報で識別される前記アンケートサーバ装置へ送信するｐｉｎｇ送信手段と、を有する、ことを特徴とするアンケートブログシステムである。
【００１３】
請求項２に記載の発明は、前記設問設定ファイルが、前記アンケートの内容に対して入力された前記アンケートサーバ識別情報と前記アンケート識別情報とを関連付けて記事となる形式に変換する出力形式変換情報を含み、前記アンケート参加コード生成手段が、前記受信したアンケート識別情報に該当する設問設定ファイルを前記設定記憶手段から取得し、前記取得したアンケート設問設定ファイルの出力形式変換情報に基づいて前記受信したアンケート結果と前記アンケートサーバ識別情報と前記アンケート識別情報とを変換することにより、前記アンケート参加コードを生成する、ことを特徴とする請求項１に記載のアンケートブログシステムである。
【００１４】
請求項３に記載の発明は、前記アンケートサーバ装置が、記事公開位置情報を記憶する記事公開位置情報記憶手段と、前記ｐｉｎｇ送信手段から受信する記事公開位置情報を受信し、前記受信した記事公開位置情報を前記記事公開位置情報記憶手段に記憶させるｐｉｎｇ受信手段と、を有することを特徴とする請求項１または請求項２に記載のアンケートブログシステムである。
【００１５】
請求項４に記載の発明は、前記アンケートサーバ装置が、アンケート結果を記憶するアンケート結果記憶手段と前記記事公開位置情報記憶手段に記憶された記事公開位置情報を取得し、前記取得した記事公開位置情報に基づいて、前記記事を前記ブログサーバの情報蓄積手段から取得し、前記取得した記事を前記アンケート結果記憶手段に登録する記事内容取得手段、を有することを特徴とする請求項３に記載のアンケートブログシステムである。
【００１６】
請求項５に記載の発明は、前記記事内容取得手段が、前記取得した記事を前記取得した記事に含まれるアンケート参加コードのアンケート識別情報に基づいて前記アンケート毎に前記アンケート結果記憶手段に登録する、ことを特徴とする請求項４に記載のアンケートブログシステムである。
【００１７】
請求項６に記載の発明は、前記アンケート結果記憶手段に、前記アンケート設問設定ファイル毎に、前記アンケート設問設定ファイルに対するアンケート結果を記憶するためのアンケート結果記憶テーブルが生成されており、前記記事内容取得手段が、前記取得した記事から前記アンケート識別情報を抽出し、前記抽出したアンケート識別情報に該当するアンケート設問設定ファイルを前記設定記憶手段から取得し、前記取得したアンケート設問設定ファイルにより前記取得した記事からアンケート結果を抽出し、前記抽出したアンケート結果を前記アンケート結果記憶テーブルに登録する、ことを特徴とする請求項４または請求項５に記載のアンケートブログシステムである。
【００１８】
請求項７に記載の発明は、前記アンケート参加コード生成手段が、前記アンケートサーバ装置へ前記アンケート識別情報を送信するための前記アンケートサーバ識別情報と前記アンケート識別情報とを含む起動リンクボタンを生成し、前記生成した起動リンクボタンを含む前記アンケート参加コードを生成し、前記アンケート参加端末が、前記起動リンクボタンを含む記事を生成し、前記入力受付手段が、前記起動リンクボタンを含む記事を前記情報蓄積手段に登録し、前記ブログサーバが、前記情報蓄積手段に登録された前記起動リンクボタンを含む記事を公開する情報公開手段、を有することを特徴とする請求項１から請求項６に記載のアンケートブログシステムである。
【００１９】
請求項８に記載の発明は、前記端末が、前記起動リンクボタンを起動し、前記起動した起動リンクボタンに含まれる前記アンケート識別情報を送信する端末送信手段を有し、前記アンケートサーバ装置が、前記アンケート識別情報を前記端末から受信するアンケート紹介参加手段を有し、前記ユーザインターフェース生成手段が、前記アンケート紹介参加手段が受信したアンケート識別情報で識別される前記アンケート設問設定ファイルを前記設定記憶手段から取得し、前記取得した前記アンケート設問設定ファイルに基づいて入力フォームを生成し、前記生成した入力フォームを前記端末へ送信し表示する、ことを特徴とする請求項７に記載のアンケートブログシステムである。
【００２０】
請求項９に記載の発明は、前記アンケートサーバ装置が、前記アンケート参加端末のユーザ情報を登録するユーザ管理手段を有し、前記アンケート参加コード生成手段が、前記アンケート参加端末のユーザ情報を前記ユーザ管理手段から取得し、前記取得したユーザ情報を含む前記アンケート参加コードを生成し、前記取得したユーザ情報と前記受信したアンケート結果とを関連付けて前記アンケート結果記憶手段に登録する、ことを特徴とする請求項１から請求項８に記載のアンケートブログシステムである。
【００２１】
請求項１０に記載の発明は、蓄積した記事を公開するブログサーバと、前記ブログサーバに記事を送信するアンケート参加端末と、前記アンケート参加端末へのアンケートを実行しアンケート結果を収集するアンケートサーバ装置とが、ネットワークを介して接続されるアンケートブログシステムに用いられるアンケートブログ方法であり、前記アンケートサーバ装置が、設定記憶手段に、アンケートの内容とアンケート結果を入力するための入力形式を定める入力フォーム情報と、前記アンケートサーバ装置を識別するアンケートサーバ識別情報と、前記アンケートを識別するアンケート識別情報と、を含むアンケート設問設定ファイルを記憶させる設定記憶手順と、前記アンケート設問設定ファイルを前記設定記憶手段から取得し、該アンケート設問設定ファイルの入力フォーム情報に基づいて前記アンケートサーバ識別情報と前記アンケート識別情報とを含む入力フォームを生成し、該生成した入力フォームを前記アンケート参加端末へ送信するユーザインターフェース生成手順と、前記入力フォームへのアンケート結果と該入力フォームに対するアンケート識別情報とを受信し、前記受信したアンケート結果を所定の出力フォーマットで変換し、前記アンケートサーバ識別情報と前記アンケート識別情報とを含む記事の一部となるアンケート参加コードを生成し、前記生成したアンケート参加コードを前記アンケート参加端末へ送信するアンケート参加コード生成手順と、を有し、前記アンケート参加端末が、前記アンケートサーバ装置から受信したアンケート参加コードを含む記事を生成し、前記生成した記事を前記ブログサーバへ送信するブログ生成送信手順、を有し、前記ブログサーバが、前記アンケート参加コードを含む記事を前記アンケート参加端末から受信し、前記受信した記事を情報蓄積手段に登録する入力受付手順と、前記情報蓄積手段に登録された記事の公開される位置を示す記事公開位置情報を、前記受信した記事に含まれる前記アンケートサーバ識別情報で識別される前記アンケートサーバ装置へ送信するｐｉｎｇ送信手順と、を有する、ことを特徴とするアンケートブログ方法である。
【発明の効果】
【００２２】
本発明のアンケートブログシステムによれば、アンケートサーバ装置が定型の項目を有するアンケート設問設定に基づいて入力フォームを生成し、そのフォームからユーザが入力したデータに基づいてアンケート参加コードを生成するので、アンケート参加コードが含まれたブログの記事を収集することか可能となるため、アンケートの回答がブログで公開される状況においても、設問とそれに対する回答が複数設定されたアンケートの実行が可能となる効果を奏する。
【発明を実施するための最良の形態】
【００２３】
以下、図面を参照して、本発明の実施の形態について説明する。図１は、この発明の一実施形態によるアンケートブログシステムの構成を示す概略ブロック図である。
本実施の形態に係るアンケートサーバ装置１は、ブログサーバ２、アンケート参加端末３、および、端末６と、ネットワーク４を介して接続されている。
アンケート参加端末３は、アンケートサーバ装置１からのアンケートに対するユーザの入力するアンケート結果を、ブログサーバ２に登録し記事５として公開するため、アンケート結果をブログサーバ２に送信する、ユーザが用いる端末である。
【００２４】
ブログサーバ２は、アンケート参加端末３から送信された記事５を、内部に登録し、登録した記事５を、ネットワーク４上に公開するブログサーバ装置である。端末６は、ブログサーバ２の記事５を見るユーザが用いる端末である。ネットワーク４は、インターネット、ＬＡＮ、ＷＡＮなどの通信網である。
アンケート参加端末３および端末６は、例えば、ネットワークにアクセスする機能と、表示装置を備えるパソコンや携帯電話などの端末である。
【００２５】
＜第１の実施形態＞
次に、図２を用いて、アンケートサーバ装置１の構成を説明する。同図において図１の各部に対応する部分には同一の符号を付け、その説明を省略する。
アンケートサーバ装置１は、アンケート参加端末３から入力されたアンケート情報から、アンケート参加コードを生成し、アンケート参加ブログからの信号を受信し、アンケート参加コードを含む記事５を取得し、アンケート回答をサーバ蓄積するサーバ装置である。
このアンケートサーバ装置１は、設定記憶部１０１と、ユーザインターフェース生成機能部１０３と、入力受付機能部１０４と、アンケート参加コード生成機能部１０５と、アンケート参加ブログ蓄積部１０６と、ｐｉｎｇ受信機能部１０７とアンケート登録機能部１０８と、記事内容取得機能部１０９と、アンケート紹介参加機能部１１０と、データ出力機能部１１１を有する。
【００２６】
アンケート参加ブログ蓄積部１０６は、内部に２つの記憶部を有している。１つは、記事公開位置情報を記憶する記事公開位置情報記憶部であり、もう１つは、アンケート結果を記憶するアンケート結果記憶部である。
記事公開位置情報記憶部には、記事公開位置情報記記憶テーブルが生成されている。この記事公開位置情報記記憶テーブルには、記事公開位置情報が順に記憶されている。
【００２７】
また、アンケート参加ブログ蓄積部１０６のアンケート結果記憶部には、後述するアンケート設問設定ファイル１０２毎に、アンケート設問設定ファイル１０２に対するアンケート結果を記憶するためのアンケート結果記憶テーブルが生成されている。
また、このアンケート結果記憶テーブルには、記事公開位置情報と、そのアンケート毎の項目に対応した項目と、が関連付けて記憶されてもよい。
【００２８】
設定記憶部１０１には、アンケートの内容とアンケート結果を入力するための入力形式を定める入力フォーム情報と、アンケートサーバ装置を識別するアンケートサーバ識別情報と、アンケートを識別するアンケート識別情報と、を含む複数のアンケート設問設定ファイル１０２が、記憶されている。
【００２９】
アンケート設問設定ファイル１０２の一例を、図３を用いて説明する。
図３に示すように、アンケート設問設定ファイル１０２は、そのアンケートを識別するアンケート識別情報部分Ａ１（アンケート識別情報）、そのアンケートの設問項目部分Ａ２（アンケートの内容の情報）、そのアンケートの出力形式変換情報部分Ａ３（出力形式変換情報）を有する。
【００３０】
このアンケート設問設定ファイル１０２のアンケート識別情報部分Ａ１には、そのアンケートの識別子である「ＩＤ」項目が含まれる。
また、アンケートの設問項目部分Ａ２には、アンケートの設問を示す「設問項目」項目と、設問の回答の名前を示す「名前」項目と、設問の回答の種類を示す「型」項目と、選択式の入力フォームを要するときに選択肢を列挙する「選択候補」項目と、選択肢を示す「選択肢」項目と、選択肢の値を示す「値」項目と、選択肢の画面表示を示す「出力」項目と、が含まれている。
図３のアンケートの設問項目部分Ａ２には、２つの設問である設問Ａと設問Ｂに対して、上記項目が設定されている。
【００３１】
また、出力形式変換情報部分Ａ３には、アンケートの設問項目部分Ａ２に対するアンケート結果をブログで表示する際の形式に変換するための「出力形式」項目などが含まれている。
出力形式変換情報部分Ａ３には、アンケート識別情報（図３のＡ３４）と、アンケートサーバ装置識別情報（Ａ３５）が含まれている。また、出力形式変換情報部分Ａ３には、アンケートの設問項目部分Ａ２に対するアンケート結果が挿入される（図３のＡ３１、Ａ３２）。
【００３２】
以上のように出力形式変換情報部分Ａ３に基づいて、アンケート結果が変換されることにより、アンケートの識別情報と、設問の識別情報と、設問に対するアンケート結果とを、互いに関連付けた変換をすることが可能となる。
なお、以上の出力形式変換情報部分Ａ３によるアンケート結果の変換は、後述するアンケート参加コード生成機能部１０５により実行される。
【００３３】
図２の説明に戻り、設定記憶部１０１は、設定部１１２を有する。
設定部１１２は、アンケートを主催する管理者が用いる端末により操作され、アンケートを実行するための設定をする。
【００３４】
この設定とは、例えば、アンケートの質問内容や質問内容に対する選択肢などをアンケート設問設定ファイル１０２に記述し作成することや、作成したアンケート設問設定ファイル１０２に対するユーザの結果を記憶するためのアンケート結果記憶テーブルをアンケート参加ブログ蓄積部１０６のアンケート結果記憶部に生成することである。
【００３５】
つまり、設定部１１２は、アンケート対するアンケート設問設定ファイル１０２を設定記憶部１０１に登録し、また、アンケート設問設定ファイル１０２に対するアンケート結果を記憶するアンケート結果記憶テーブルをアンケート参加ブログ蓄積部１０６に生成する。
【００３６】
なお、設定部１１２は、アンケート設問設定ファイル１０２のアンケートの設問項目部分Ａ２に記述してある設問の回答の種類を示す「型」項目に基づいて、その型を記録するためのアンケート結果記憶テーブルを設定記憶部１０１に生成する。
また、設定部１１２は、アンケート識別情報で、アンケート結果記憶テーブルが識別できるように、アンケート結果記憶テーブルを生成する。
【００３７】
ユーザインターフェース生成機能部１０３は、アンケート設問設定ファイル１０２を設定記憶部１０１から取得し、該アンケート設問設定ファイル１０２の入力フォーム情報に基づいてアンケートサーバ識別情報とアンケート識別情報とを含み、表示するアンケート内容の項目と、該アンケート内容に対して入力する項目と、を有する入力フォームを生成し、該生成した入力フォームをアンケート参加端末３へ送信する。
【００３８】
また、ユーザインターフェース生成機能部１０３は、後述するアンケート紹介参加機能部１１０が端末６から受信したアンケート識別情報で識別される前記アンケート設問設定ファイル１０２を設定記憶部１０１から取得し、取得した前記アンケート設問設定ファイル１０２に基づいて入力フォームを生成し、生成した入力フォームを端末６へ送信し表示する。
【００３９】
つまり、ユーザインターフェース生成機能部１０３は、アンケート参加端末３またはアンケート紹介参加機能部１１０からのアクセスに応じて、アンケート設問設定ファイル１０２に基づいてユーザの入力フォームを生成し（図４参照）、生成した入力フォームをアンケート参加端末３に送信することにより、アンケート参加端末３の備える表示装置に表示する（図５参照）。
【００４０】
入力受付機能部１０４は、アンケート参加端末３から送信されるアンケート結果または回答の情報であるアンケート情報（図６参照）を受信し、受信したアンケート情報をアンケート参加コード生成機能部１０５へ送信する。
【００４１】
アンケート参加コード生成機能部１０５は、入力フォームへのアンケート結果と該入力フォームに対するアンケート識別情報とを入力受付機能部１０４を介してアンケート参加端末３から受信し、記事に含まれる受信したアンケート結果とアンケートサーバ識別情報とアンケート識別情報とを関連付けたアンケート参加コードを生成し、生成したアンケート参加コードを前記アンケート参加端末３へ送信する。
例えば、アンケート参加コード生成機能部１０５は、図３のＡ３に基づいて、図７のアンケート参加コード部分を生成する。
【００４２】
また、アンケート参加コード生成機能部１０５は、受信したアンケート識別情報に該当するアンケート設問設定ファイル１０２を設定記憶部１０１から取得し、取得したアンケート設問設定ファイル１０２の出力形式変換情報を所定の出力フォーマットとして受信したアンケート結果を変換し、変換したアンケート結果と受信したアンケート識別情報とを含む前記アンケート参加コードを生成する。
【００４３】
また、アンケート参加コード生成機能部１０５は、アンケートサーバ装置１へアンケート識別情報を送信するためのアンケートサーバ識別情報とアンケート識別情報とを含む起動リンクボタンを生成し、生成した起動リンクボタンを含む前記アンケート参加コードを生成する。
【００４４】
つまり、アンケート参加コード生成機能部１０５は、入力受付機能部１０４からアンケート情報を受信し、受信したアンケート情報に含まれるアンケート設問設定の識別情報を検索キーとして、設定記憶部１０１から該当するアンケート設問設定ファイル１０２を取得し、取得したアンケート設問設定ファイル１０２の出力形式に基づいて、アンケート情報をアンケート参加端末３で表示するために変換し、変換したアンケート情報をアンケート参加端末３へ送信することにより、アンケート参加端末３の備える表示装置に表示する（図７参照）。
【００４５】
図８は、記事５の一例を示す図である。
図８に示されるように、記事５は、アンケート参加コードが反映される部分、任意にユーザが記述したものが表示されるコメント部などで構成される。アンケート参加コードが反映される部分には、アンケート紹介参加機能部起動リンクボタン（起動リンクボタン）が含まれることもある。
【００４６】
ｐｉｎｇ受信機能部１０７とアンケート登録機能部１０８（ｐｉｎｇ受信手段）は、後述するブログサーバ２のｐｉｎｇ送信機能部２４から受信する記事公開位置情報を受信し、受信した記事公開位置情報をアンケート参加ブログ蓄積部１０６の記事公開位置情報記憶部に記憶する。
【００４７】
つまり、ｐｉｎｇ受信機能部１０７は、ブログサーバ２から送信された記事５のＵＲＬ情報（記事公開位置情報）を受信し、アンケート登録機能部１０８へ渡す。アンケート登録機能部１０８は、ｐｉｎｇ受信機能部１０７から渡された記事５のＵＲＬ情報を、アンケート参加ブログ蓄積部１０６の記事公開位置情報記憶部に、登録する。
【００４８】
記事内容取得機能部１０９は、アンケート参加ブログ蓄積部１０６の記事公開位置情報記憶部に記憶された記事公開位置情報を取得し、取得した記事公開位置情報に基づいて、後述する記事５をブログサーバ２の情報蓄積機能部２２から取得し、取得した記事をアンケート参加ブログ蓄積部１０６のアンケート結果記憶部に登録する。
また、記事内容取得機能部１０９は、取得した記事５を、取得した記事５に含まれるアンケート参加コードのアンケート識別情報に基づいてアンケート毎にアンケート参加ブログ蓄積部１０６のアンケート結果記憶部に登録する。
【００４９】
また、記事内容取得機能部１０９は、取得した記事５からアンケート識別情報を抽出し、抽出したアンケート識別情報に該当するアンケート設問設定ファイル１０２を設定記憶部１０１から取得し、取得したアンケート設問設定ファイル１０２により記事５からアンケート結果を抽出し、抽出したアンケート結果をアンケート参加ブログ蓄積部１０６のアンケート結果記憶部内の、アンケート識別情報に該当するテーブルに登録する。
アンケート設問設定ファイル１０２により記事５からアンケート結果を抽出する方法として、例えば、アンケート設問設定ファイル１０２により記事５からアンケート結果である部分を検出し、検出した部分に該当する情報を記事５から選択する方法がある。
【００５０】
つまり、記事内容取得機能部１０９は、アンケート参加ブログ蓄積部１０６に登録された記事の場所（ＵＲＬ）に基づいて記事５をブログサーバ２から取得し、アンケート参加ブログ蓄積部１０６のアンケート結果記憶部に、アンケート設問設定ファイル１０２に基づいて、登録する。
【００５１】
アンケート紹介参加機能部１１０は、アンケート紹介参加機能部起動リンクボタンに含まれるアンケート識別情報を、アンケート紹介参加機能部起動リンクボタンを起動した端末から受信する。
つまり、アンケート紹介参加機能部１１０は、アンケート参加コードを含む記事５が閲覧され、新たにアンケートに参加する端末６から送信されるアンケートのＩＤ情報を含む情報を受信し、ユーザインターフェース生成機能部１０３に送信する。
【００５２】
より具体的には、ユーザが端末６を用いてアンケート参加コードを含む記事５を閲覧し、ユーザが端末６を用いて記事５に含まれるアンケート紹介参加機能部起動リンクボタンを押すことにより、端末６は、アンケート紹介参加機能部起動リンクボタンに含まれるアンケートサーバ識別情報で識別されるアンケートサーバ装置１へ、アンケート紹介参加機能部起動リンクボタンに含まれるアンケート識別情報を送信する。
【００５３】
データ出力機能部１１１は、アンケート参加ブログ蓄積部１０６に蓄積されているデータを、例えば、アンケートを主催した管理者の端末へ、出力する。
【００５４】
次に、図９を用いて、ブログサーバ２の構成を説明する。同図において図１または図２の各部に対応する部分には同一の符号を付け、その説明を省略する。ただし、ブログサーバ２は従来から実現されている装置であるため、本発明に関連のある構成のみについて説明する。
ブログサーバ２は、入力受付機能部２１と、情報蓄積機能部２２と、情報公開機能部２３と、ｐｉｎｇ送信機能部２４を有する。
【００５５】
入力受付機能部２１は、アンケート参加コードを含む記事をアンケート参加端末３から受信し、受信した記事を情報蓄積機能部２２に登録する。
情報公開機能部２３は、情報蓄積機能部２２に蓄積された記事をネットワーク４に公開する。
【００５６】
ｐｉｎｇ送信機能部２４は、情報蓄積機能部２２に登録された記事の公開される位置を示す記事公開位置情報を、受信した記事に含まれるアンケートサーバ識別情報で識別される前記アンケートサーバ装置１へ送信する。
例えば、ｐｉｎｇ送信機能部２４は、情報公開機能部２３の指示に基づいて、受信した記事に含まれるアンケートサーバ識別情報へトラックバックｐｉｎｇ信号または更新ｐｉｎｇ信号を送信することにより、記事公開位置情報をアンケートサーバ装置１へ送信する。
【００５７】
アンケート参加端末３は、アンケートサーバ装置１のアンケート参加コード生成機能部１０５から受信したアンケート参加コードを含む記事を生成し、生成した記事をブログへ送信するブログ生成送信部を有する。
【００５８】
＜第１の実施形態の動作＞
次に、本実施の携帯に係るアンケートブログシステムの動作について説明する。
まず、図１０を参照して、アンケートを実施する際の準備をする場合のアンケートブログシステムの動作を説明する。
はじめに、アンケートで収集するアンケートの設問とその回答データの形式などを、アンケートを実施する管理者が、管理用の端末から設定部１１２を操作し、アンケート設問設定ファイル１０２を作成する（ステップＳ６０１）。
【００５９】
次に、管理者による管理用の端末からの操作により、設定部１１２が、作成されたアンケート設問設定ファイル１０２に基づいてアンケート参加ブログ蓄積部１０６に、アンケート結果記憶テーブルを生成することにより、アンケート参加ブログ蓄積部１０６の設定をする（ステップＳ６０２）。
このアンケート結果記憶テーブルは、作成されたアンケート設問設定ファイル１０２の回答を記憶するためのフィールドを有し、作成されたアンケート設問設定ファイル１０２の識別番号毎に生成されるものである。
【００６０】
次に、図１１を参照して、ユーザがアンケート参加端末３を用いてアンケートに参加する場合のアンケートブログシステムの動作を説明する。
はじめに、ユーザがアンケート参加端末３を用いて、アンケートサーバ装置１にアクセスし、アンケートに参加することを示す情報をアンケートサーバ装置１に送信すると、アンケートサーバ装置１のユーザインターフェース生成機能部１０３がアンケート設問設定ファイル１０２を取得し（ステップＳ７０１）、アンケート設問設定ファイル１０２に基づいてアンケート回答のフォームを生成し、アンケート参加端末３に表示する。（ステップＳ７０２）
【００６１】
次に、ユーザがアンケート参加端末３を用いて、アンケート回答のフォームに従って、アンケートの回答を入力し、アンケートサーバ装置１へ送信する（ステップＳ７０３）。入力受付機能部１０４は、受信したデータをアンケート参加コード生成機能部１０５へ渡す（ステップＳ７０４）。
【００６２】
アンケート参加コード生成機能部１０５は、受信したデータとアンケート設問設定ファイル１０２に基づいて、アンケート参加コードを生成し、生成したアンケート参加コードを含んだ情報をアンケート参加端末３に送信することにより、アンケート参加端末３に生成したアンケート参加コードを含んだ情報を表示する（ステップＳ７０５）。
【００６３】
ユーザはアンケート参加端末３を用いて、ユーザが選択するブログサーバ２に情報を登録することにより、情報を記事５として公開する。その際には、必ず、アンケート参加コードを含めた情報を公開する（ステップＳ７０６）。ただし、先に生成したアンケート参加コードを含めれば、アンケート参加端末３以外の端末を用いてもよい。
【００６４】
次に、ブログサーバ２のｐｉｎｇ送信機能部２４が、ユーザのアンケート参加端末３を介した指示に基づいて、アンケートサーバ装置１に対して、記事公開位置情報を送信する（ステップＳ７０７）。
【００６５】
次に、アンケートサーバ装置１のｐｉｎｇ受信機能部１０７が、記事公開位置情報を受信して、アンケート登録機能部１０８に送信する（ステップＳ７０８）。アンケート登録機能部１０８は、受信した記事公開位置情報をアンケート参加ブログ蓄積部１０６の記事公開位置情報記憶部に登録する（ステップＳ７０９）。
【００６６】
次に、図１２を参照して、アンケートブログシステムの、アンケート参加ブログの記事収集の動作を説明する。
はじめに、アンケート主催者が、アンケート主催者が用いる管理用の端末から、アンケートサーバ装置１へ、アンケート結果を収集する収集指示情報を送信する。
収集指示情報を受信したアンケートサーバ装置１の記事内容取得機能部１０９は、アンケート参加ブログ蓄積部１０６の記事公開位置情報記憶部から、アンケート参加ブログの記事５のＵＲＬである記事公開位置情報を取得する（ステップＳ８０１）。
【００６７】
記事内容取得機能部１０９は、取得した記事公開位置情報に該当する記事５を、ブログサーバ２から取得する（ステップＳ８０２）。
次に、記事内容取得機能部１０９は、取得した記事５を、アンケート参加ブログ蓄積部１０６のアンケート結果記憶部に登録する（ステップＳ８０３）。
【００６８】
なお、記事内容取得機能部１０９は、アンケート主催者からの収集指示情報を受信することにより、上記ステップＳ８０１からステップＳ８０３の動作を実行することに限られるものではない。
例えば、定期的に収集指示情報を送信する記事内容取得機能部１０９の内部または外部の収集指示情報送信部が定期的に収集指示情報を送信し、記事内容取得機能部１０９が、収集指示情報送信部からの収集指示情報を受信したことに応じて、上記動作を実行するようにしてもよい。
【００６９】
また、アンケート登録機能部１０８が、アンケート参加ブログ蓄積部１０６に記事公開位置情報を登録し、登録した後に、収集指示情報を記事内容取得機能部１０９に送信するようにし、記事内容取得機能部１０９が、アンケート登録機能部１０８からの収集指示情報を受信したことに応じて、上記動作を実行するようにしてもよい。
【００７０】
次に、図１３を参照して、アンケート紹介参加の場合のアンケートブログシステムの動作を説明する。
このアンケート紹介参加とは、アンケートを開始して、アンケート参加ブログの記事５がブログサーバ２に存在するとき、該ブログサーバ２の閲賢者（端末６）がアンケート参加記事５内のアンケート紹介参加機能起動リンクボタンを押下することで、端末６の閲覧者がアンケートに参加することである。
【００７１】
アンケート参加ブログの記事５が存在するとき、該ブログサーバ２の閲覧者（端末６）がアンケート参加記事５内のアンケート紹介参加機能起動リンクボタンを押下すると、ブログサーバ２はアンケートサーバ装置１にデータを送信する（ステップＳ９０１）。
アンケート紹介参加機能部１１０は、アンケートの識別番号を示す情報（アンケート識別情報）を受信し、ユーザインターフェース生成機能部１０３にデータを渡す（ステップＳ９０２）。
ユーザインターフェース生成機能部１０３は、受信したアンケート識別情報に基づいてユーザインターフェースを生成する（ステップＳ９０３）。
【００７２】
以降、図７のアンケート紹介参加の流れと同様に、アンケート参加端末３を端末６として、ステップＳ７０３からステップＳ７０９が実行されることで、参加登録が行われる。
以上のように、アンケートブログシステムによるブログを用いたアンケートにより、ブログサーバ２の記事を見た端末６のユーザが、アンケートに参加し、また端末６のユーザがアンケート結果をブログに公開することにより、アンケートの参加者が増えていく効果がある。
【００７３】
アンケート紹介参加機能部１１０を効果的に実施するためには、アンケート参加ブログ蓄積部１０６にアンケート参加の登録を行うときに、紹介元記事のＵＲＬの項目を登録する。これにより、紹介者に対しての報酬などを紹介人数に応じて支払うなどの付加的な効果がある。
【００７４】
また、アンケート主催者がアンケートの結果を集計したい時には、データ出力機能部１１１を用いて、アンケート参加ブログ蓄積部１０６のデータを出力する。
なお、アンケートの結果を公表する場合には、データ出力機能部１１１を、ネットワーク４を介して利用できるようにしてもよい。
【００７５】
＜第２の実施形態＞
次に、図１４を用いて、本発明の第２の実施の形態について説明する。同図において図１または図２の各部に対応する部分には同一の符号を付け、その説明を省略する。ここでは、第1の実施の形態との差異がある部分のみについて説明する。
【００７６】
アンケートサーバ装置１は、第１の実施の形態に、さらにユーザ管理機能部１１３を有する。
このユーザ管理機能部１１３は、アンケート参加端末３からユーザの情報（ユーザIDやパスワード）を受け付け、蓄積する機能と、アンケート参加端末３から送信されたユーザIDとパスワードを受け付けて蓄積されている情報とを比較し、認証されれば、ユーザインターフェース生成機能部１０３にユーザID（ユーザ識別情報）を送信する。
【００７７】
次に、アンケート設問設定ファイル１０２の一例を、図１５を用いて説明する。
第１の実施形態である図３のアンケート設問設定ファイル１０２との違いは、図１５のアンケート設問設定ファイル１０２の出力形式変換情報部分Ａ３に、ユーザ管理機能部１１３から受信したユーザIDに基づいて生成される後述の回答IDを挿入する項目（図１５のＡ４参照）がある点である。
【００７８】
ユーザインターフェース生成機能部１０３は、アンケート設問設定ファイル１０２およびユーザ管理機能部１１３から受け取ったユーザIDに基づいてユーザの入力フォームを生成し、アンケート参加端末３の備える表示装置に表示する（図１６参照）。この入力フォームにもユーザＩＤが含まれている（図１６のＢ４参照）。
【００７９】
入力受付機能部１０４は、アンケート参加端末３から送信されるデータを受信し、アンケート参加コード生成機能部１０５へ渡す。その際のデータには、ユーザIDが含まれている（図１７のＤ４参照）。
【００８０】
アンケート参加コード生成機能部１０５は、アンケート参加端末３のユーザ情報をユーザ管理機能部１１３から取得し、前記取得したユーザ情報を含むアンケート参加コードを生成し、取得したユーザ情報と受信したアンケート結果とを関連付けて前記アンケート参加ブログ蓄積部１０６に登録する。
また、アンケート参加コード生成機能部１０５は、入力受付機能部１０４からデータを受け取り、アンケート設問設定ファイル１０２に基づいてデータを変換する。なお、変換の際には、ユーザIDおよびアンケート識別情報から、回答ID（図１８のＥ１参照）を生成し、アンケート参加コードに含めてもよい。
【００８１】
次に、アンケート参加ブログ蓄積部１０６に入力受付機能部１０４から受け取ったデータを蓄積する。回答IDを生成する場合は、回答IDも蓄積する。
次に、アンケート参加コードを含んだデータをアンケート参加端末３に送信し、アンケート参加端末３の備える表示装置に表示する（図１８参照）。
【００８２】
アンケート参加ブログ蓄積部１０６は、アンケート参加コード生成機能部１０５および、アンケート登録機能部１０８から受け取ったデータおよび回答完了フラグデータを蓄積する。
【００８３】
記事内容取得機能部１０９は、記事５を取得し、記事５に含まれるユーザIDおよびアンケート識別情報がアンケート参加ブログ蓄積部１０６と一致する場合、アンケート参加ブログ蓄積部１０６の回答完了フラグを有効にする。または、記事内容取得機能部１０９は、回答ＩＤを比較に用いてもよい。
【００８４】
なお、設定記憶部１０１、アンケート参加ブログ蓄積部１０６または情報蓄積機能部２２は、それぞれ、ハードディスク装置や光磁気ディスク装置、フラッシュメモリ等の不揮発性のメモリや、ＣＤ−ＲＯＭ等の読み出しのみが可能な記憶媒体、ＲＡＭ（Ｒａｎｄｏｍ  Ａｃｃｅｓｓ  Ｍｅｍｏｒｙ）のような揮発性のメモリ、あるいはこれらの組み合わせにより構成されるものとする。
【００８５】
なお、このアンケートサーバ装置１は専用のハードウェアにより実現されるものであってもよく、また、このアンケートサーバ装置１はメモリおよびＣＰＵ（中央演算装置）により構成され、アンケートサーバ装置１の機能を実現するためのプログラムをメモリにロードして実行することによりその機能を実現させるものであってもよい。
【００８６】
また、図１におけるアンケートサーバ装置１の機能を実現するためのプログラムをコンピュータ読み取り可能な記録媒体に記録して、この記録媒体に記録されたプログラムをコンピュータシステムに読み込ませ、実行することによりアンケートサーバ装置１の機能を行ってもよい。なお、ここでいう「コンピュータシステム」とは、ＯＳや周辺機器等のハードウェアを含むものとする。
【００８７】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００８８】
以上、この発明の実施形態を図面を参照して詳述してきたが、具体的な構成はこの実施形態に限られるものではなく、この発明の要旨を逸脱しない範囲の設計等も含まれる。
【産業上の利用可能性】
【００８９】
本発明は、アンケートを実行するサーバ、特に、ブログを用いてアンケートを用いるサーバに用いて好適である。
【図面の簡単な説明】
【００９０】
【図１】この発明の第１の実施形態によるアンケートブログシステムの構成を示すブロック図である。
【図２】図１のアンケートブログシステムのアンケートサーバ装置１の構成を示すブロック図である。
【図３】アンケート設問設定ファイルの一例を示す説明図である。
【図４】アンケートサーバ装置からアンケート参加端末へ送信される入力フォームの一例を示す説明図である。
【図５】アンケート参加端末に表示される図４の入力フォームの表示例を示す図である。
【図６】アンケート参加端末からアンケートサーバ装置へ送信される図４の入力フォームに対するアンケート結果の一例を示す説明図である。
【図７】アンケート参加端末に表示されるアンケート参加コードの表示例を示す図である。
【図８】端末６に表示される記事５の表示例を示す図である。
【図９】図１のブログサーバ２の構成を示すブロック図である。
【図１０】アンケート設問設定時のアンケートブログシステムの動作を示すフローチャートである。
【図１１】アンケート時のアンケートブログシステムの動作を示すフローチャートである。
【図１２】記事収集時のアンケートブログシステムの動作を示すフローチャートである。
【図１３】紹介参加時のアンケートブログシステムの動作を示すフローチャートである。
【図１４】第２の実施形態におけるアンケートブログシステムの構成を示すブロック図である。
【図１５】第２の実施形態におけるアンケート設問設定ファイルの一例を示す説明図である。
【図１６】第２の実施形態におけるアンケートサーバ装置からアンケート参加端末へ送信される入力フォームの一例を示す説明図である。
【図１７】第２の実施形態におけるアンケート参加端末からアンケートサーバ装置へ送信されるアンケート結果の一例を示す説明図である。
【図１８】第２の実施形態におけるアンケート参加端末に表示されるアンケート参加コードの表示例を示す図である。
【符号の説明】
【００９１】
１  アンケートサーバ装置
２  ブログサーバ
３  アンケート参加端末
４  ネットワーク
５  記事
６  端末
２１  入力受付機能部
２２  情報蓄積機能部
２３  情報公開機能部
２４  ｐｉｎｇ送信機能部
１０１  設定記憶部
１０２  アンケート設問設定ファイル
１０３  ユーザインターフェース生成機能部
１０４  入力受付機能部
１０５  アンケート参加コード生成機能部
１０６  アンケート参加ブログ蓄積部
１０７  ｐｉｎｇ受信機能部
１０８  アンケート登録機能部
１０９  記事内容取得機能部
１１０  アンケート紹介参加機能部
１１１  データ出力機能部
１１２  設定部
１１３  ユーザ管理機能部
【図１】
2008134925.tif 000003
【図２】
2008134925.tif 000004
【図３】
2008134925.tif 000005
【図４】
2008134925.tif 000006
【図５】
2008134925.tif 000007
【図６】
2008134925.tif 000008
【図７】
2008134925.tif 000009
【図８】
2008134925.tif 000010
【図９】
2008134925.tif 000011
【図１０】
2008134925.tif 000012
【図１１】
2008134925.tif 000013
【図１２】
2008134925.tif 000014
【図１３】
2008134925.tif 000015
【図１４】
2008134925.tif 000016
【図１５】
2008134925.tif 000017
【図１６】
2008134925.tif 000018
【図１７】
2008134925.tif 000019
【図１８】
2008134925.tif 000020